(57)【要約】立方体ブラシ台（ヘッド）と首部と柄とその装着部分としてＰ型ハンドル部又はＩ型ハンドル部とを有する歯ブラシで且つ、ブラシ台の形状が特別に形成され立体的な植毛面で形状が球体、円錐体と多面体を持つ歯ブラシ。【課題】本発明の目的は、幼児から老人まで簡単な操作と少ない力で使用でき、且つ滑り止め効果を十分に確保しつつ、歯ブラシの操作性を向上し得る歯ブラシを提供することである。【解決手段】立方体植毛台と首部と装着式のＰ型ハンドル部又はＩ型ハンドル部とを有するである。Ｐ型ハンドル部は空洞部分に４本の指を入れグリップ部を握る方法であり、その為の機能と構造を持つハンドルである。Ｉ型ハンドル部はグリップ部を太くし、且つ、ゴム製及び合成樹脂性の材質で滑り止め用の凸状体を形成し、疲れにくく、安定して握る事を可能成らしめる形状と機能である。その為従来に無い滑り止め効果を十分に確保した。又、歯ブラシにＰ型ハンドル部とＩ型ハンドル部との付け替え機能を持たせたので、用途に合わせて使い分けが出来る。【選択図】      図1
2005211291.tif 000002
【特許請求の範囲】
【請求項１】
立方体ブラシ台（ヘッド）と首部と柄とその装着部分としてＰ型ハンドル部又はＩ型ハンドル部とを有する歯ブラシ。
【請求項２】
ブラシ台（ヘッド）の形状が特別に形成され立体的な植毛面で形状が球体、円錐体と多面体のを持つ請求項１記載の歯ブラシ 
【発明の詳細な説明】
【技術分野】
【０００１】
本発明は歯ブラシに関し特に柄にハンドル部を有し且つブラシ台（ヘッド）の形状が球体、円錐体と多面体のブラシ面の歯ブラシに関するものである。
【背景技術】
【０００２】
従来から、歯ブラシのハンドル部の滑りを防止して、歯ブラシの操作性を向上するため、ハンドル部を、合成樹脂材料製のハンドル基台の表側及び裏側に合成ゴム材料製の滑止部を形成したものが種々提案され実用化されている。それらは主に材質の向上とそれを補う為の形状を変える事によって、つまり極小的には形状の違いが材質の違いと同じ機能を持つ事からの技術革新であった。
又、歯ブラシのハンドル部はヘッド部の形状と歯と顎との組み合わせからブラッシングの仕方が制限された。従って、ヘッド部の形状や機能によって、ブラッシングの仕方が大きく異なる。例えば、電動歯ブラシはヘッド部の動作機能追加によりブラッシング時の手の運動が単純になり、使用者の負担が少なくなった。手動式の歯ブラシでは有効なブラツシング及び清浄のために歯と歯ブラシのヘツドとの間に最適な角度を保つことも難しく、ブラツシング中に何度か用途に合わせて指で柄の部分を常に持ち帰る必要がある。その為、有効なブラツシングの為に、複雑な歯ブラシの持ち方とそれに伴う手の難解な運動が不可欠であった。角度をつけたヘツドを有する歯ブラシが、これらの困難のあるものを克服する試みとして示唆されているが、それらはすべての要求を満足に満すものではない。
【特許文献１】特許３０４６５６１
【特許文献２】特許３３１１９９１
【発明の開示】
【発明が解決しようとする課題】
【０００３】
本発明の目的は、幼児から老人まで簡単な操作と少ない力で使用でき、且つ滑止め効果を十分に確保しつつ、歯ブラシの操作性を向上し得る歯ブラシを提供することである。又、ハンドル部の機能において、機械装置や電気装置を使わずに歯ブラシの操縦を簡単にし且つ、操縦性を上げ、それと連動しブラッシングの効果の向上を解決の課題とする。
【課題を解決するための手段】
【０００４】
請求項１に係る歯ブラシは、立方体植毛台と首部と装着式のＰ型ハンドル部又はＩ型ハンドル部とを有するである。Ｐ型ハンドル部は空洞部分に４本の指を入れグリップ部を握る方法であり、その為の機能と構造を持つハンドルである。Ｉ型ハンドル部はグリップ部を太くし、且つ、ゴム製及び合成樹脂性の材質で滑り止め用の凸状体を形成し、疲れにくく、安定して握る事を可能成らしめる形状と機能である。その為従来に無い滑止め効果を十分に確保した。又、歯ブラシにＰ型ハンドル部とＩ型ハンドル部との付け替え機能を持たせたので、用途に合わせて使い分けが出来る。
【０００５】
請求項２に係る歯ブラシはヘッド部が立方体植毛面を持つため、手の運動が簡単で同じ反服運動のブラッシングの方法を可能にした。
【発明の効果】
【０００６】
請求項１に係る歯ブラシに寄って、安定で疲れにくい歯ブラシの連続的な動作反復操作が向上出来る。又、ハンドル部を確実に把持することが可能となり、歯ブラシの操作性が向上出来る。
【０００７】
グリップ部の複数の凸状体が握る時の疲労と握力低下を回避し同時にマッサージ効果を生み長時間のブラッシング操作が可能になる。
【０００８】
Ｐ型ハンドル部に関しては殆ど強い握力を必要としない為、幼児や老人、或いは非健常者など他人の保護を必要とするブラッシング操作から過度の保護を必要としないブラッシング操作に移行し、使用者の主体性と新しい行動可能性という社会的な効果も期待できる。
【０００９】
請求項２に係る歯ブラシによれば、歯ブラシの持つ向き（毛束の向き）に影響されないで、毛束の向きが立方体状に形成されているので、単純なブラッシング操作で使用可能となる。
【発明を実施するための最良の形態】
【００１０】
このように、Ｐ型又はＩ型ハンドル部を配置してあるので、自然で無理の無くハンドル部を確実に把持することが可能となる。Ｐ型の場合にはハンドル部の空洞部分に４本の指が入るように機能し、その為、ハンドル部を強く握らずに把持する事が可能となる。Ｉ型の場合にはハンドルのグリップ部が太く且つ、滑り止めの為、複数の凸状部があり、グリップ部を掴むと程よく凸状部が撓り、快適で安定した握りを可能にする。これらＰ型又、Ｉ型の両機能はハンドル部を確実に把持することが可能となる。ハンドル部の滑りを効果的に防止することが可能となる。
【実施例】
【００１１】
本発明を実施例に基づいて説明すると歯ブラシ本体はブラシ台とし首部と柄部から成る歯ブラシ上部とそれが差込可能なハンドル部Ｐ型若しくはＩ型から成る。ブラシ台は３種類の立方体植毛構造に成っている。その為、毛束がブラシ台と首部の連動する部分以外は立体的に四方八方へとむら無く分散し且つ、毛束密度がブラッシングに適している頻度である。又、歯ブラシ上部は用途に応じてハンドル部に付け替え可能である。歯ブラシ上部に組成されている差込凸部をハンドル部に組成されている差込凹部に挿入する。凸部の表面の形状と凹部の内面の形状を公差を考慮して同一形状とするが、取り外しと差込が容易な計上である。
【００１２】
ブラシ台は、立方体で卵型、球体、円錐とに形成され、ブラシ台４には所定の配列で複数の植毛穴が形成さる。ブラシ台４を立体的に構成することで、手の運動が常時同じ方向で３次元６方向でブラシ台と首部の連動する部分の１方向を除く５方向でブラッシングが可能になる。その為、手の疲労が少なく改善され長くそして力強く運動できるのでブラッシング圧が高くなる。
【００１３】
ハンドル部はＰ型とＩ型の２種類あり、Ｐ型は差込凹部と指枠部とグリップ部から成る。指枠部とグリップ部の間に人差し指から小指までの４本を入れてグリップ部を握る構造に成っている。Ｉ型はＰ型から指枠部を取り除いた構造でそのままグリップ部を握る構造に成っている。
【産業上の利用可能性】
【００１４】
本発明において、歯ブラシという文明社会で殆どの人が日常的に使用するものとして、又、加えて、幼児や老人、非健常者等を対象にした技術として、福祉社会とそれに付随する産業、老人介護、医療補助、又、育児教育などにも幅広く利用可能。
【図面の簡単な説明】
【００１５】
【図１】歯ブラシ本体と取り替えヘッド
【図２】取り替えヘッド
【図３】グリップ部
【符号の説明】
【００１６】
１  歯ブラシ本体
２  柄部
３  首部
４  立方体ブラシ台
５  ハンドルＰ型
６  ハンドルＩ型
７  グリップ部
８  指枠
９  毛束
【図１】
2005211291.tif 000003
【図２】
2005211291.tif 000004
【図３】
2005211291.tif 000005